(57)【特許請求の範囲】
【請求項１】
カメラと、
前記カメラを制御して被写体を撮影し、複数の写真画像を生成する撮影手段と、
前記複数の写真画像の各々と合成するための複数の背景画像を含む背景画像セットを画面の背景画像セット領域に表示するとともに、前記複数の写真画像の各々と合成するための複数の個別背景画像を前記画面の個別背景画像領域に表示する表示手段と、
利用者の操作に応じ、前記背景画像セット領域に表示された前記背景画像セット又は前記個別背景画像領域に表示された前記個別背景画像の選択を受け付ける受付手段と、を備え、
前記背景画像セット及び前記複数の個別背景画像は、予め定められた複数のテーマに従って分類され、
前記背景画像セット領域と前記個別背景画像領域は、前記画面に並べて配置されており、
前記表示手段は、一のテーマに分類された背景画像セットと複数の個別背景画像とを、一の画面における前記背景画像セット領域と前記個別背景画像領域にそれぞれ表示する、写真撮影遊戯機。
【請求項２】
請求項１に記載の写真撮影遊戯機であって、
前記背景画像セット領域は、前記個別背景画像領域の下方に配置されている、写真撮影遊戯機。
【請求項３】
請求項１又は２に記載の写真撮影遊戯機であって、さらに、
前記個別背景画像領域に表示された前記個別背景画像を利用者が選択したときに、前記画面の選択済背景画像領域に、選択された前記個別背景画像に基づく選択済背景画像を表示する選択済背景画像表示手段、
を備える、写真撮影遊戯機。
【請求項４】
請求項３に記載の写真撮影遊戯機であって、
前記背景画像セット領域は、前記個別背景画像領域と前記選択済背景画像領域との間に配置されている、写真撮影遊戯機。
【請求項５】
請求項１から４のいずれか１項に記載の写真撮影遊戯機であって、さらに、
前記背景画像セット領域に表示された前記背景画像セットを利用者が選択したときに、選択された前記背景画像セットを前記利用者に確認させるための確認画像を前記画面に表示する確認画像表示手段、
を備える、写真撮影遊戯機。
【請求項６】
請求項５に記載の写真撮影遊戯機であって、
前記確認画像表示手段は、前記個別背景画像領域に表示された前記個別背景画像が選択された後に前記背景画像セットが選択された場合、選択済みの前記個別背景画像を前記確認画像とともに前記画面に表示する、写真撮影遊戯機。
【請求項７】
請求項１から６のいずれか１項に記載の写真撮影遊戯機であって、
前記表示手段は、利用者の操作に応じ、前記背景画像セット及び前記複数の個別背景画像をテーマごとに切り替えて表示する、写真撮影遊戯機。
【請求項８】
カメラを備えた写真撮影遊戯機のコンピュータに、
前記カメラを制御して被写体を撮影し、複数の写真画像を生成する撮影ステップと、
前記複数の写真画像の各々と合成するための複数の背景画像を含む背景画像セットを画面の背景画像セット領域に表示するとともに、前記複数の写真画像の各々と合成するための複数の個別背景画像を前記画面の個別背景画像領域に表示する表示ステップと、
利用者の操作に応じ、前記背景画像セット領域に表示された前記背景画像セット又は前記個別背景画像領域に表示された前記個別背景画像の選択を受け付ける受付ステップと、を実行させ、
前記背景画像セット及び前記複数の個別背景画像は、予め定められた複数のテーマに従って分類され、
前記背景画像セット領域と前記個別背景画像領域は、前記画面に並べて配置されており、
前記表示ステップは、一のテーマに分類された背景画像セットと複数の個別背景画像とを、一の画面における前記背景画像セット領域と前記個別背景画像領域にそれぞれ表示する、制御プログラム。
【発明の詳細な説明】
【技術分野】
【０００１】
本発明は、写真撮影遊戯機及びその制御プログラムに関する。
【背景技術】
【０００２】
従来、カメラ撮影により生成された写真画像と背景画像とを合成して合成画像を生成し、合成画像をシール紙に印刷して写真シールを作成したり、合成画像から生成されたデザイン画像を、ネットワークを介して提供したりする写真撮影遊戯機が知られている。写真シールの作成やデザイン画像の生成に当たり、写真撮影遊戯機の利用者は、予め用意された複数の背景画像の中から、利用者自身の写真画像と合成するための背景画像を選択する。
【０００３】
例えば、特許文献１には、複数の背景画像セットをディスプレイに表示し、利用者に所望の背景画像セットを選択させる写真撮影遊戯機が記載されている。特許文献１の写真撮影遊戯機では、最終的に出力される写真シールを利用者がイメージしやすいように、各背景画像セットに含まれる複数の背景画像が写真シールと同様のレイアウトでディスプレイに表示される。
【０００４】
特許文献２及び３には、利用者が複数の背景画像を個別に選択し、あるいは利用者が１つの背景画像セットを選択することができる写真撮影遊戯機が記載されている。特許文献２及び３の写真撮影遊戯機では、背景選択画面において、利用者が個別背景画像用のタブを選択すると、複数の個別背景画像が表示される。利用者は、表示された複数の個別背景画像の中から所望の個別背景画像を所定枚数選択することができる。一方、背景選択画面において、利用者が背景画像セット用のタブを選択すると、複数の背景画像セットが表示される。利用者は、表示された複数の背景画像セットの中から所望の背景画像セットを１つ選択することができる。
【先行技術文献】
【特許文献】
【０００５】
【特許文献１】特開２０１１−２３４２１５号公報
【特許文献２】特開２０１２−１４１７７５号公報
【特許文献３】特開２０１３−１４９２１２号公報
【発明の概要】
【発明が解決しようとする課題】
【０００６】
ところで、特許文献１から３のような写真撮影遊戯機では、通常、複数の利用者によってプレイが行われる。一緒にプレイを行う複数の利用者の中には、個別背景画像を選択したい利用者と、背景画像セットを選択したい利用者とが混在していることがある。また、特許文献２及び３の写真撮影遊戯機のように、タブの選択によって個別背景画像の表示と背景画像セットの表示とを切り替える場合、利用者が背景画像セットの存在に気付かず、あるいは、利用者が背景画像セットの存在に気付いたときには既に複数の個別背景画像を選択してしまっていることが多い。さらに、利用者は、背景画像セットの存在に早めに気付いていたとしても、個別背景画像を選択することを初めから決めている場合、背景画像セットを確認することはほとんどない。このため、特許文献２及び３の写真撮影遊戯機のような構成では、利用者が個別背景画像を選択する傾向が強く、背景画像セットが選択されにくいという問題があった。
【０００７】
そこで、本発明は、利用者に対し、背景画像セットと個別背景画像との平等な選択を促すことが可能な写真撮影遊戯機、及びその制御プログラムを提供することを課題とする。
【課題を解決するための手段】
【０００８】
本発明に係る写真撮影遊戯機は、上記課題を解決するためのものであり、カメラと、カメラを制御して被写体を撮影し、複数の写真画像を生成する撮影手段と、複数の写真画像の各々と合成するための複数の背景画像を含む背景画像セットを画面の背景画像セット領域に表示するとともに、複数の写真画像の各々と合成するための複数の個別背景画像を画面の個別背景画像領域に表示する表示手段と、利用者の操作に応じ、背景画像セット領域に表示された背景画像セット又は個別背景画像領域に表示された個別背景画像の選択を受け付ける受付手段と、を備える。
【０００９】
上記写真撮影遊戯機は、表示手段によって背景画像セットと個別背景画像とを画面に表示することにより、背景画像セットの存在を利用者に容易に認識させることができる。その結果、個別背景画像だけでなく、背景画像セットの選択の可能性を利用者に考慮させることができ、利用者に対し、背景画像セットと個別背景画像との平等な選択を促すことができる。
【００１０】
上記写真撮影遊戯機において、背景画像セット領域は、個別背景画像領域の下方に配置されていてもよい。この構成によれば、複数の利用者が画面上で背景画像セット又は個別背景画像の選択操作を行う場合、画面に向かって右側に位置する利用者と左側に位置する利用者とで、背景画像セット及び個別背景画像の見え方に差が生じるのを防止することができる。
【００１１】
上記写真撮影遊戯機は、さらに、個別背景画像領域に表示された個別背景画像を利用者が選択したときに、画面の選択済背景画像領域に、選択された個別背景画像に基づく選択済背景画像を表示する選択済背景画像表示手段、を備えていてもよい。この構成によれば、利用者は、既に選択した個別背景画像を画面上で確認することができ、全体のバランスを考慮しながら複数の個別背景画像の選択を行うことができる。
【００１２】
上記写真撮影遊戯機において、背景画像セット領域は、個別背景画像領域と選択済背景画像領域との間に配置されていてもよい。この構成によれば、個別背景画像の選択及び選択済みの個別背景画像の確認のため、利用者の視線が個別背景増領域と選択済背景画像領域との間を移動するときに、背景画像セット領域に表示された背景画像セットが利用者の視界に入りやすくなる。このため、利用者に対して背景画像セットの存在をより確実に認識させることができ、背景画像セットと個別背景画像との平等な選択をさらに促すことができる。
【００１３】
上記写真撮影遊戯機は、さらに、背景画像セット領域に表示された背景画像セットを利用者が選択したときに、選択された背景画像セットを利用者に確認させるための確認画像を画面に表示する確認画像表示手段、を備えていてもよい。この構成によれば、背景画像セットの選択が確定する前にその選択を再考する余地を利用者に与えることができる。これにより、利用者が十分に考えた上で、背景画像セット又は個別背景画像が決定されるため、最終的な背景画像セット又は個別背景画像に対する利用者の満足度を向上させることができる。
【００１４】
上記写真撮影遊戯機において、確認画像表示手段は、個別背景画像領域に表示された個別背景画像が選択された後に背景画像セットが選択された場合、選択済みの個別背景画像を確認画像とともに画面に表示してもよい。この構成によれば、利用者は、背景画像セットの選択が確定する前に、選択済みの個別背景画像と背景画像セットとを比較しながら、個別背景画像又は背景画像セットのどちらがよいかを再考することができる。このため、最終的な背景画像セット又は個別背景画像に対する利用者の満足度をより向上させることができる。
【００１５】
上記写真撮影遊戯機において、背景画像セット及び複数の個別背景画像は、予め定められた複数のテーマに従って分類されており、表示手段は、利用者の操作に応じ、背景画像セット及び複数の個別背景画像をテーマごとに切り替えて表示してもよい。この構成によれば、利用者は、好みのデザインの背景画像セット又は個別背景画像を容易に見つけることができる。
【００１６】
本発明に係る制御プログラムは、カメラを備えた写真撮影遊戯機のコンピュータに、カメラを制御して被写体を撮影し、複数の写真画像を生成する撮影ステップと、複数の写真画像の各々と合成するための複数の背景画像を含む背景画像セットを画面の背景画像セット領域に表示するとともに、複数の写真画像の各々と合成するための複数の個別背景画像を画面の個別背景画像領域に表示する表示ステップと、利用者の操作に応じ、背景画像セット領域に表示された背景画像セット又は個別背景画像領域に表示された個別背景画像の選択を受け付ける受付ステップと、を実行させる。
【図面の簡単な説明】
【００１７】
【図１】図１は、実施形態に係る写真撮影遊戯機の外観を表す模式図である。
【図２】図２は、図１に示す正面筐体を表す模式図である。
【図３】図３は、図１に示す背面筐体を表す模式図である。
【図４】図４は、実施形態における編集ブースの編集ユニット及び事後接客部を表す斜視図である。
【図５】図５は、図１に示す写真撮影遊戯機の機能ブロック図である。
【図６】図６は、図１に示す写真撮影遊戯機の全体動作を示すフロー図である。
【図７】図７は、図６に示す事前接客処理の動作フロー図である。
【図８】図８は、図７に示す背景画像選択処理の動作フロー図である。
【図９】図９は、図８に示す背景画面表示処理において、「ノーマル」タブが選択されているときの背景選択画面の模式図である。
【図１０】図１０は、図８に示す背景画面表示処理において、「グラデ」タブが選択されているときの背景選択画面の模式図である。
【図１１】図１０は、図８に示す背景画面表示処理において、「デザイン」タブが選択されているときの背景選択画面の模式図である。
【図１２】図１２は、図７に示す背景画像選択処理において、アップ画像用の個別背景画像を選択するときの背景選択画面の模式図である。
【図１３】図１３は、図７に示す背景画像選択処理において、アップ画像用の個別背景画像を選択するときの背景選択画面の模式図である。
【図１４】図１４は、図７に示す背景画像選択処理において、全身画像用の個別背景画像を選択するときの背景選択画面の模式図である。
【図１５】図１５は、図７に示す背景画像選択処理において、所定枚数の個別背景画像が選択されたときの背景選択画面の模式図である。
【図１６】図１６は、図８に示す確認画像表示処理の際の背景選択画面の模式図である。
【図１７】図１７は、図６に示す写真画像生成処理の動作フロー図である。
【図１８】図１８は、図６に示す画像編集処理の動作フロー図である。
【図１９】図１９は、アップ全身撮影コースに対応するシート画像を例示した平面図である。
【図２０】図２０は、アップ撮影コースに対応するシート画像を例示した平面図である。
【図２１】図２１は、図６に示す事後接客処理の動作フロー図である。
【図２２】図２２は、シール自動販売機用利用者操作機の正面図である。
【図２３】図２３は、図２２に示すシール自動販売機用利用者操作機の背面図である。
【図２４】図２４は、図２２に示すシール自動販売機用利用者操作機の平面図である。
【図２５】図２５は、図２２に示すシール自動販売機用利用者操作機の底面図である。
【図２６】図２６は、図２２に示すシール自動販売機用利用者操作機の右側面図である。
【図２７】図２７は、図２２に示すシール自動販売機用利用者操作機の左側面図である。
【図２８】図２８は、図２２に示すシール自動販売機用利用者操作機のタッチパネル操作部拡大図である。
【図２９】図２９は、図２８のタッチパネル操作部等を説明する参考図である。
【発明を実施するための形態】
【００１８】
以下、本発明の実施形態について図面を参照しつつ説明する。図中同一及び相当する構成については、同一の符号を付して同じ説明を繰り返さない。
【００１９】
＜＜１．写真撮影遊戯機の構成＞＞
＜１．１．全体構成＞
図１は、本実施形態に係る写真撮影遊戯機の外観を表す模式図である。写真撮影遊戯機１は、撮影ブース２と、事前接客部３と、編集ブース４と、事後接客部５（図４参照）と、を備えている。
【００２０】
＜１．２．撮影ブースの構成＞
撮影ブース２は、図１に示すように、正面筐体２０Ａ及び背面筐体２０Ｂによって区画された空間である。撮影ブース２内では、被写体である利用者の写真撮影が行われる。なお、説明の便宜上、正面筐体２０Ａ側を前、背面筐体２０Ｂ側を後ろといい、正面筐体２０Ａに向かって右を単に右、正面筐体２０Ａに向かってに向かって左を単に左という。図１に示すように、正面筐体２０Ａと背面筐体２０Ｂとは前後方向に間を空けて配置されており、利用者は、正面筐体２０Ａと背面筐体２０Ｂとの間を通って撮影ブース２に出入りする。
【００２１】
図２は、正面筐体２０Ａを表す斜視図である。図２に示すように、正面筐体２０Ａの内側には、撮影ユニット２０が設けられている。撮影ユニット２０は、カメラ２１と、正面ディスプレイ２２と、照明装置２３Ａ〜２３Ｈと、後述するスピーカ４５０（図５参照）と、を備えている。以下、照明装置２３Ａ〜２３Ｈを区別しないときは、照明装置２３と称する。
【００２２】
カメラ２１は、正面筐体２０Ａの内側前面の幅方向中央付近に配置されている。カメラ２１は、撮影ブース２内の利用者（被写体）を撮影し、所定のタイミングで静止画像として記録する。
【００２３】
正面ディスプレイ２２は、カメラ２１の下方に配置されている。正面ディスプレイ２２は、カメラ２１によって撮影された利用者の映像を左右反転させ、リアルタイムにライブ表示する。また、正面ディスプレイ２２上にはタッチパネルが配置されており、タッチパネルを介して、利用者による入力操作が受け付けられる。利用者による入力操作は、利用者が正面ディスプレイ２２にタッチペン（図示略）又は指で直接タッチすることによって受け付けられる。
【００２４】
照明装置２３Ａは、カメラ２１の上方に配置され、照明装置２３Ｆは、カメラの左右に配置されている。照明装置２３Ｂ及び２３Ｃと、照明装置２３Ｄ及び２３Ｅは、カメラ２１及び正面ディスプレイ２２を挟んで略左右対称に設けられている。照明装置２３Ａ、２３Ｂ、２３Ｃ、２３Ｄ、２３Ｅ、２３Ｇ、２３Ｈは、ストロボ光源及び蛍光灯光源を有している。ストロボ光源は、カメラ２１が利用者のライブ映像を静止画として記録する瞬間に発光し、発光面を介して撮影ブース２内の利用者に光を照射する。照明装置２３Ｆは、蛍光灯光源のみを有しており、撮影ブース２内を常時照明する。
【００２５】
図３は、背面筐体２０Ｂを表す斜視図である。図３に示すように、背面筐体２０Ｂにおいて、正面筐体２０Ａと向かい合う内側の面には、背面パネル２４が設けられている。背面パネル２４は、クロマキー合成用のパネルであってもよいし、クロマキー合成用のカーテンを備えていてもよい。背面筐体２０Ｂの床面２５上には、クロマキー合成用の床マットや床板等の床部材（図示略）が設けられる。床部材の色は、背面パネル２４の色と同じであり、例えば黄緑色等とされる。なお、撮影ブース２内側において、背面筐体２０Ｂの天井や左右側面に、照明装置（図示略）が設けられていてもよい。
【００２６】
＜１．３．事前接客部の構成＞
事前接客部３は、図１及び図２に示すように、撮影ブース２の外に設けられており、受付装置３０を備える。受付装置３０は、正面筐体２０Ａの左側の側面に配置されている。ただし、受付装置３０は、正面筐体２０Ａの右側の側面に設けられていてもよいし、正面筐体２０Ａの左右両方の側面に設けられていてもよい。
【００２７】
受付装置３０は、受付用ディスプレイ３１と、コイン投入口３２と、スピーカ３３と、を備えている。
【００２８】
受付用ディスプレイ３１は、利用者がプレイに関する各種設定を入力するための画面等を表示する。受付用ディスプレイ３１上にはタッチパネルが配置されており、タッチパネルを介して、利用者による入力操作が受け付けられる。利用者による入力操作は、利用者が受付用ディスプレイ３１にタッチペン（図示略）又は指で直接タッチすることによって受け付けられる。コイン投入口３２には、利用者によってコインが投入される。スピーカ３３は、操作案内やＢＧＭ等の音声を出力する。
【００２９】
＜１．４．編集ブースの構成＞
編集ブース４は、図１及び図４に示すように、正面筐体２０Ａの前方に設けられており、編集ユニット４０を備えている。編集ユニット４０は、２つの画像編集装置４１と、各画像編集装置４１を支持する編集筐体４３とを備えている。
【００３０】
２つの画像編集装置４１は、左右対称となるよう背中合わせに配置されている。図４では、２つの画像編集装置４１のうち、左側に配置された画像編集装置４１のみが示されている。各画像編集装置４１は、編集用ディスプレイ４１１と、２本のタッチペン４１２と、後述するスピーカ４１３（図５）と、非接触通信装置９７とを備えている。
【００３１】
編集用ディスプレイ４１１には、利用者に画像編集を行わせるために、撮影ブース２での撮影によって生成された写真画像が表示される。編集用ディスプレイ４１１上にはタッチパネルが配置されており、タッチパネルを介して、写真画像に対する利用者による編集操作が受け付けられる。
【００３２】
２本のタッチペン４１２は、編集用ディスプレイ４１１の両側に配置されている。利用者による編集操作は、利用者が各タッチペン４１２で編集用ディスプレイ４１１にタッチすることによって受け付けられる。ただし、利用者による編集操作は、利用者が編集用ディスプレイ４１１に指で直接タッチすることによって受け付けられてもよい。
【００３３】
スピーカ４１３は、操作案内やＢＧＭ等の音声を出力する。非接触通信装置９７は、画像の取得に必要な情報等を利用者の端末装置に送信する際に用いられる。
【００３４】
＜１．５．事後接客部の構成＞
事後接客部５は、図４に示すように、編集ユニット４０に設けられており、受付装置５０を備えている。
【００３５】
受付装置５０は、受付用ディスプレイ５１と、写真シール排出口５２と、スピーカ５３と、を備えている。
【００３６】
受付用ディスプレイ５１は、画像送信に際して、送信する画像を選択したり、画像を携帯電話機等で受け取るためのメールアドレスを入力したりするための画面等を表示する。受付用ディスプレイ５１上にはタッチパネルが配置されており、タッチパネルを介して、利用者による入力操作が受け付けられる。利用者による入力操作は、指で直接タッチすることによって受け付けられるが、タッチペンによってタッチすることによって受け付けられてもよい。写真シール排出口５２は、受付装置５０に設けられており、編集筐体４３内に備わるプリンタ６５０（図５参照）で印刷された写真シールが排出される。スピーカ５３は、操作案内やＢＧＭ等の音声を出力する。
【００３７】
＜１．６．写真撮影遊戯機の機能構成＞
次に、写真撮影遊戯機１の機能構成について、図５を参照しつつ説明する。
【００３８】
＜１．６．１．制御装置の構成＞
図５に示すように、写真撮影遊戯機１は、制御装置１００を備えている。制御装置１００は、コンピュータ装置１０１と、制御基板１０２と、クロマキーキャプチャボード１７と、を備えている。
【００３９】
コンピュータ装置１０１は、撮影ユニット２０、受付装置３０、編集ユニット４０の各画像編集装置４１、プリンタ６５０、及び受付装置５０と接続されている。コンピュータ装置１０１は、制御基板１０２を介して、発光制御部１１０、蛍光灯１４、コイン制御部１１２、及びサービスパネル１１３と接続されている。
【００４０】
コンピュータ装置１０１は、Ｃｅｎｔｒａｌ  Ｐｒｏｃｅｓｓｉｎｇ  Ｕｎｉｔ（ＣＰＵ）１０３と、ハードディスク（ＨＤＤ）１０４と、メモリ１０５と、通信部１０６と、を備えている。
【００４１】
ＣＰＵ１０３は、写真撮影遊戯機１に所定の機能を実現させるための制御プログラムを実行する。
【００４２】
ＨＤＤ１０４は、ＣＰＵ１０３によって実行される制御プログラム、予め用意された複数の個別背景画像を示す個別背景画像データ及び複数の背景画像セットを示す背景画像セットデータ、並びに予め用意された複数のテーマを示す情報を記憶する。各個別背景画像データ及び各背景画像セットデータは、テーマを示す情報と対応付けられて記憶されている。
【００４３】
各背景画像セットデータは、撮影回数に対応付けられた複数の背景画像データを含む。ここで、「撮影回数」とは、１プレイ中の何回目の撮影であるかを示す情報である。例えば、背景画像セットデータに含まれる複数の背景画像データのうち、撮影回数「１」に対応付けられた背景画像データは、１プレイ中の１回目の撮影に基づく写真画像との合成に用いられる背景画像を示す情報である。
【００４４】
背景画像データの組み合わせは、背景画像セットデータごとに異なる。しかしながら、１つの背景画像セットデータに含まれる複数の背景画像データは、その全てが異なる背景画像を示すデータであってもよいが、その一部が同一の背景画像を示すデータであってもよい。
【００４５】
ＨＤＤ１０４は、各処理に必要なグラフィックデータ、音声データ、生成された写真画像を示す写真画像データ、予め用意された複数のフレーム画像や複数のスタンプ画像等の各種画像データ、予め用意された撮影コースを示す情報、及びトリミング情報等の各種データも記憶する。
【００４６】
メモリ１０５は、コンピュータ装置１０１のメインメモリであり、ＣＰＵ１０３が制御プログラムを実行する際の一時的な作業領域である。通信部１０６は、ネットワークを介してサーバ（図示略）及び非接触通信装置９７との通信を行う。
【００４７】
制御基板（デジタル入出力ボード（ＤＩＯ））１０２は、コンピュータ装置１０１と接続され、コンピュータ装置１０１との間で信号の入出力を行う。また、制御基板１０２は、コイン制御部１１２、発光制御部１１０、蛍光灯１４、及びサービスパネル１１３とも接続されており、これらとの間で信号の入出力を行う。
【００４８】
＜１．６．２．事前接客処理時に動作する機能＞
ＣＰＵ１０３は、ＨＤＤ１０４に記憶された制御プログラムを実行することにより、事前接客処理において予め定められた情報を受付用ディスプレイ３１に表示し、事前接客処理において予め定められた音声をスピーカ３３から出力させる。
【００４９】
＜１．６．３．写真画像生成処理時に動作する機能＞
ＣＰＵ１０３は、ＨＤＤ１０４に記憶された制御プログラムを実行することにより、写真画像生成処理において予め定められた情報を正面ディスプレイ２２に表示し、写真画像生成処理において予め定められた音声をスピーカ４５０から出力させる。
【００５０】
ＣＰＵ１０３は、ＨＤＤ１０４に記憶された制御プログラムを実行することにより、発光制御部１１０によって照明装置２３を制御する。発光制御部１１０は、例えば、照明装置２３の発光タイミングや発光量を制御する。
【００５１】
クロマキーキャプチャボード１７は、撮影ユニット２０及びコンピュータ装置１０１と接続されている。クロマキーキャプチャボード１７は、カメラ２１が撮影しているライブ映像を所定の間隔（例えば３０フレーム／秒）で写真画像データとして取り込む。クロマキーキャプチャボード１７は、各写真画像データから被写体である利用者の領域を抽出し、コンピュータ装置１０１に転送する。
【００５２】
＜１．６．４．画像編集処理時に動作する機能＞
ＣＰＵ１０３は、ＨＤＤ１０４に記憶された制御プログラムを実行することにより、画像編集処理において予め定められた情報を編集用ディスプレイ４１１に表示し、画像編集処理において予め定められた音声をスピーカ４１３から出力させる。
【００５３】
コンピュータ装置１０１は、プリンタ６５０と接続されている。ＣＰＵ１０３は、ＨＤＤ１０４に記憶された制御プログラムを実行することにより、プリンタ６５０に印刷処理を行わせる。
【００５４】
＜１．６．５．事後接客処理時に動作する機能＞
ＣＰＵ１０３は、ＨＤＤ１０４に記憶された制御プログラムを実行することにより、事後接客処理において予め定められた情報を受付用ディスプレイ５１に表示し、事後接客処理において予め定められた音声をスピーカ５３から出力させる。
【００５５】
＜＜２．写真撮影遊戯機の動作＞＞
次に、写真撮影遊戯機１の動作について説明する。以下で説明する各処理は、図５に示すＣＰＵ１０３が制御プログラムを実行することにより行う。
【００５６】
図６は、写真撮影遊戯機１の全体動作を示すフロー図である。写真撮影遊戯機１は、まず、プレイの開始を受け付けるための事前接客処理を行う（ステップＳ１０）。次に、写真撮影遊戯機１は、事前接客処理で受け付けたプレイごとに写真画像生成処理を行う（ステップＳ２０）。その後、写真撮影遊戯機１は、写真画像生成処理で生成された写真画像に対する画像編集処理を行う（ステップＳ３０）。最後に、写真撮影遊戯機１は、画像編集処理後の写真画像について事後接客処理を行う（ステップＳ４０）。以下、各処理について詳述する。
【００５７】
＜２．１．事前接客処理＞
まず、事前接客処理（ステップＳ１０）について説明する。図７は、事前接客処理のフロー図である。
【００５８】
ＣＰＵ１０３は、プレイのデモンストレーション映像を表すデモ画面を受付用ディスプレイ３１に表示する(ステップＳ１１１)。ＣＰＵ１０３は、利用者が１プレイ分のコインを投入口３２に投入するまで、デモ画面の表示を継続する（ステップＳ１１２でＮｏの場合）。このとき、ＣＰＵ１０３は、デモンストレーション映像に応じたＢＧＭ等をスピーカ３３から出力させてもよい。
【００５９】
コイン投入口３２に１コインが投入されると、コイン制御部１１２（図５参照）により、コインが投入されたことを示す情報が制御基板１０２を介してコンピュータ装置１０１に出力される。ＣＰＵ１０３は、コイン制御部１１２からの情報ごとにコインカウントを１つインクリメントする。ＣＰＵ１０３は、コインカウントが１プレイ分に達すると、１プレイ分のコインが受け付けられたと判断し（ステップＳ１１２でＹｅｓの場合）、プレイを開始し、ステップＳ１１３以下の処理を行う。
【００６０】
ステップＳ１１３において、ＣＰＵ１０３は、名前入力画面（図示略）を受付用ディスプレイ３１に表示させ、利用者による名前の入力を受け付ける。このとき、ＣＰＵ１０３は、名前の入力を促す音声をスピーカ３３から出力させてもよい。ＣＰＵ１０３は、名前の入力が可能な残り時間をカウントダウンするタイマーを受付用ディスプレイ３１に表示させる。
【００６１】
次に、ＣＰＵ１０３は、撮影コース選択画面（図示略）を受付用ディスプレイ３１に表示させ、利用者による撮影コースの選択を受け付ける（ステップＳ１１４）。本実施形態では、撮影コースとして、利用者の上半身を撮影するアップ撮影コースと、利用者の上半身と全身とを撮影するアップ全身撮影コースとが用意されており、利用者はいずれか一方を選択することができる。このとき、ＣＰＵ１０３は、撮影コースの選択を促す音声をスピーカ３３から出力させてもよい。ＣＰＵ１０３は、撮影コースの選択が可能な残り時間をカウントダウンするタイマーを受付用ディスプレイ３１に表示させる。なお、以下の説明において、利用者の上半身を撮影した写真画像をアップ画像、利用者の全身を撮影した写真画像を全身画像と称する。
【００６２】
本実施形態では、アップ撮影コースが選択された場合、利用者の上半身を６回撮影し、アップ全身撮影コースが選択された場合、利用者の上半身を４回撮影するとともに、利用者の全身を２回撮影する。
【００６３】
｛背景画像選択処理｝
撮影コース選択処理の後、ＣＰＵ１０３は、背景画像選択処理を行う（ステップＳ１１５）。図８は、背景画像選択処理のフロー図である。なお、本実施形態では、撮影コース選択処理においてアップ全身撮影コースが選択されたものとして説明する。
【００６４】
（背景選択画面表示）
ＣＰＵ１０３は、まず、図９に示すような背景選択画面６０を受付用ディスプレイ３１に表示させる（ステップＳ１１５１）。また、ＣＰＵ１０３は、背景選択の残り時間のカウントダウンを開始する。
【００６５】
背景選択画面６０は、撮影されるアップ画像及び全身画像ごとの個別背景画像、又は背景画像セットを利用者に選択させるための画面である。
【００６６】
図９に示すように、背景選択画面６０は、選択用背景画像領域６１と、テーマ選択タブ６２と、選択済背景画像領域６３と、を含んでいる。背景選択画面６０は、さらに、背景選択の残り時間を表示するタイマー６５を含む。
【００６７】
背景選択画面６０の選択用背景画像領域６１は、個別背景画像領域６１１と、個別背景画像領域６１１の下方に配置された背景画像セット領域６１２と、を含む。背景画像セット領域６１２は、個別背景画像領域６１１の下方に配置されている。
【００６８】
個別背景画像領域６１１には、後述するステップＳ２１５で生成される各写真画像と合成するための複数の個別背景画像６４１が表示される。ＣＰＵ１０３は、ステップＳ１１４で選択された撮影コースと、撮影回数とに基づいて個別背景画像６４１の形状を決定する。個別背景画像領域６１１の各個別背景画像６４１は、利用者によって個別背景画像６４１が選択されていないアップ画像及び全身画像のうち、撮影回数が最も小さい画像に応じた形状とされる。
【００６９】
例えば、背景選択画面６０の初期表示時には、個別背景画像が１枚も選択されていないため、個別背景画像６４１が選択されていない画像に対応する撮影回数のうち、最も小さい撮影回数は「１」となる。ステップＳ１１４においてアップ全身撮影コースが選択されている場合、１回目にアップ画像が撮影されるため、個別背景画像領域６１１の各個別背景画像６４１は、アップ画像に応じた形状となる。また、１〜４回目に撮影されるアップ画像について個別背景画像が選択され、５〜６回目に撮影される全身画像について個別背景画像が選択されていない場合、個別背景画像６４１が選択されていない画像に対応する撮影回数のうち、最も小さい撮影回数は「５」となる。アップ全身撮影コースでは５回目に撮影されるのは全身画像であるため、個別背景画像領域６１１の各個別背景画像６４１は、全身画像に応じた形状となる。なお、「アップ画像に応じた形状」及び「全身画像に応じた形状」とは、それぞれ、アップ画像用及び全身画像用の背景画像であることを利用者が理解できるような形状を意味し、例えば、ステップＳ２１５で生成されるアップ写真画像及び全身写真画像と同じ縦横比を有する形状である。
【００７０】
背景画像セット領域６１２には、複数の背景画像セット６４２が表示される。各背景画像セット６４２は、ステップＳ２１５で生成される各写真画像と合成するための複数の背景画像６４２１を含む。背景画像セット領域６１２に表示された複数の背景画像セット６４２の中には同一の背景画像セット６４２は存在しないが、１つの背景画像セット６４２の中には同一の背景画像６４２１が含まれる場合がある。
【００７１】
各個別背景画像６４１及び各背景画像セット６４２は、予め定められた複数のテーマに従って分類されている。個別背景画像領域６１１及び背景画像セット領域６１２には、共通のテーマに属する個別背景画像６４１及び背景画像セット６４２が表示される。個別背景画像領域６１１及び背景画像セット領域６１２の表示は、これらの左右に配置されたテーマ選択タブ６２を利用者が選択することにより、テーマごとに切り替えられる。本実施形態では、「ノーマル」、「グラデ」、及び「デザイン」という名称のテーマが予め定められており、テーマ選択タブ６２は、「ノーマル」タブ６２Ａ、「グラデ」タブ６２Ｂ、及び「デザインタブ」６２Ｃを有している。例えば、背景選択画面６０に向かって左側に立つ利用者がタッチペン（図示略）又は指で左側の「ノーマル」タブ６２Ａ、「グラデ」タブ６２Ｂ、又は「デザイン」タブ６２Ｃのいずれかにタッチすると、タッチされたタブのテーマに応じて、個別背景画像領域６１１及び背景画像セット領域６１２の表示が切り替えられる。同様に、背景選択画面６０に向かって右側に立つ利用者が右側の「ノーマル」タブ６２Ａ、「グラデ」タブ６２Ｂ、又は「デザイン」タブ６２Ｃのいずれかにタッチした場合も、タッチされたタブのテーマに応じて、個別背景画像領域６１１及び背景画像セット領域６１２の表示が切り替えられる。すなわち、右側及び左側のテーマ選択タブ６２は、ともに、テーマの選択を受け付けるものであり、利用者が右又は左のテーマ選択タブ６２のいずれにタッチしても、個別背景画像領域６１１及び背景画像セット領域６１２の表示が切り替えられる。
【００７２】
図９に示すように、「ノーマル」タブ６２Ａが選択された場合、個別背景画像領域６１１及び背景画像セット領域６１２には、それぞれ、「ノーマル」に分類された複数の個別背景画像６４１Ａ及び複数の背景画像セット６４２Ａが表示される。「ノーマル」に分類される背景画像６４１Ａ、及び各背景画像セット６４２Ａの各背景画像６４２１Ａは、単色のシンプルな画像である。本実施形態では、各背景画像セット６４２Ａに含まれる複数の背景画像６４２１Ａは、全て個別背景画像６４１Ａから選択されている。ただし、背景画像セット６４２Ａの複数の背景画像６４２１Ａのうち、一部を個別背景画像６４１Ａから選択し、残りを個別背景画像６４１Ａと異なる背景画像とすることもできるし、背景画像６４２１Ａの全てを個別背景画像６４１Ａと異なる背景画像とすることもできる。本実施形態では、背景選択画面６０の初期表示時、「ノーマル」タブ６２Ａが選択されている。
【００７３】
図１０に示すように、「グラデ」タブ６２Ｂが選択された場合、個別背景画像領域６１１及び背景画像セット領域６１２には、それぞれ、「グラデ」に分類された複数の個別背景画像６４１Ｂ及び複数の背景画像セット６４２Ｂが表示される。「グラデ」に分類される背景画像６４１Ｂ、及び各背景画像セット６４２Ｂの背景画像６４２１Ｂの一部は、グラデーションが施された画像である。図１０の例では、各背景画像セット６４２Ｂに含まれる６枚の背景画像６４２１Ｂのうち、３枚の背景画像６４２１Ｂにグラデーションが施されている。本実施形態では、各背景画像セット６４２Ｂの複数の背景画像６４２１Ｂのうち、一部が個別背景画像６４１Ｂから選択され、残りが「ノーマル」に分類される個別背景画像６４１Ａ（図９）から選択されている。ただし、背景画像セット６４２Ｂの背景画像６４２１Ｂのうち、全てを個別背景画像６４１Ｂから選択してもよいし、全てを個別背景画像６４１Ａ，６４１Ｂと異なる背景画像としてもよい。
【００７４】
図１１に示すように、「デザイン」タブ６２Ｃが選択された場合、個別背景画像領域６１１及び背景画像セット領域６１２には、それぞれ、「デザイン」に分類された複数の個別背景画像６４１Ｃ及び複数の背景画像セット６４２Ｃが表示される。「デザイン」に分類される背景画像６４１Ｃ、及び各背景画像セット６４２Ｃの背景画像６４２１Ｃの一部は、文字や図形を含む画像である。図１１の例では、各背景画像セット６４２Ｃに含まれる６枚の背景画像６４２１Ｃのうち、３枚の背景画像６４２１Ｃが、文字や図形を含む画像である。本実施形態では、各背景画像セット６４２Ｃの複数の背景画像６４２１Ｃのうち、一部が個別背景画像６４１Ｃから選択され、残りが「ノーマル」に分類される個別背景画像６４１Ａ（図９）から選択されている。ただし、背景画像セット６４２Ｃの背景画像６４２１Ｃのうち、全てを個別背景画像６４１Ｃから選択してもよいし、全てを個別背景画像６４１Ａ，６４１Ｃと異なる背景画像としてもよい。
【００７５】
図９に示すように、選択済背景画像領域６３は、選択用背景画像領域６１の下方に配置されている。したがって、個別背景画像領域６１１と選択済背景画像領域６３との間に、背景画像セット領域６１２が配置されることとなる。
【００７６】
選択済背景画像領域６３は、利用者が選択した個別背景画像６４１と同じ画像（選択済背景画像）を表示するための選択済背景画像表示部６３１を含む。選択済背景画像表示部６３１の数は、１プレイで撮影される写真画像の数と等しい。本実施形態では、６枚の写真画像を撮影するため、選択済背景画像領域６３には６つの選択済背景画像表示部６３１が含まれる。６つの選択済背景画像表示部６３１は、背景選択画面６０において、横方向に一列に並べられ、撮影回数と対応付けられている。本実施形態では、６つの選択済背景画像表示部６３１は、左から順に、撮影回数「１」，「２」，「３」，「４」，「５」，「６」と対応付けられている。
【００７７】
複数の選択済背景画像表示部６３１のうち、次撮影回数に対応する選択済背景画像表示部６３１には、選択枠６３２が表示される。次撮影回数については後で詳しく説明するがが、例えば、背景選択画面６０が初期表示された際、次撮影回数は「１」であり、撮影回数「１」に対応する左端の選択済背景画像表示部６３１に選択枠６３２が表示される。
【００７８】
ＣＰＵ１０３は、ステップＳ１１４で選択された撮影コースに応じて、各選択済背景画像表示部６３１の形状を決定する。本実施形態のようにアップ全身撮影コースが選択されている場合、左から４つの選択済背景画像表示部６３１がアップ画像に応じた形状をなし、残りの２つの選択済背景画像表示部６３１が全身画像に応じた形状をなす。
【００７９】
（背景画像選択）
利用者は、背景選択画面６０で操作を行い、所望の個別背景画像又は背景画像セットを選択する。
【００８０】
（個別背景画像の場合）
以下、利用者が個別背景画像を選択する場合について説明する。ここでは、利用者が「ノーマル」に分類された個別背景画像６４１Ａを選択する場合について説明するが、「グラデ」又は「デザイン」に分類された個別背景画像６４１Ｂ，６４１Ｃを選択する場合であっても、利用者の操作及びＣＰＵ１０３による処理は同様である。
【００８１】
図９に示すように、利用者は、「ノーマル」タブ６２Ａを選択し、背景選択画面６０の個別背景画像領域６１１及び背景画像セット領域６１２に、それぞれ、「ノーマル」に分類された複数の個別背景画像６４１Ａ及び複数の背景画像セット６４２Ａを表示させる。
【００８２】
利用者は、タッチペン又は指でタッチすることにより、表示された複数の個別背景画像６４１Ａの中から所望の個別背景画像６４１Ａを選択する。ＣＰＵ１０３は、利用者による個別背景画像６４１Ａの選択操作を受け付ける（ステップＳ１１５２）。
【００８３】
ＣＰＵ１０３は、利用者が選択した背景画像の種別を判断する（ステップＳ１１５３）。ここでは、背景選択画面６０上で利用者が個別背景画像６４１Ａを選択したため、背景画像の種別は「個別背景画像」である。
【００８４】
続いて、ＣＰＵ１０３は次撮影回数を更新する（ステップＳ１１５４）。次撮影回数は、利用者による個別背景画像６４１Ａの選択操作が受け付けられていない画像に対応する撮影回数のうち、最も小さい撮影回数であり、その初期値は「１」である。例えば、１回目に撮影されるアップ画像について個別背景画像６４１Ａの選択が受け付けられ、２〜４回目に撮影されるアップ画像及び５〜６回目に撮影される全身画像について個別背景画像６４１Ａの選択が受け付けられていない場合、次撮影回数は「２」に更新される。全てのアップ画像及び全身画像について個別背景画像６４１Ａの選択が受け付けられた場合は、ＣＰＵ１０３は、次撮影回数の更新を行わなくてもよいが、予め定めた値（１〜６以外の値等）に次撮影回数を更新してもよい。
【００８５】
ＣＰＵ１０３は、選択枚数を１つインクリメントすることにより更新する（ステップＳ１１５５）。選択枚数は、利用者による選択を受け付けた個別背景画像６４１Ａの枚数を示す値であり、その初期値は「０」に設定されている。例えば、１枚の個別背景画像６４１Ａの選択が受け付けられた場合、選択枚数は「１」に更新される。
【００８６】
図１２に示すように、ＣＰＵ１０３は、利用者が選択した個別背景画像６４１Ａと同一の画像を、選択済背景画像６３３として、選択済背景画像表示部６３１の１つに表示させる（ステップＳ１１５２）。具体的には、個別背景画像６４１Ａが選択された写真画像の撮影回数に対応する選択済背景画像表示部６３１に、選択済背景画像６３３を表示する。ＣＰＵ１０３は、選択済背景画像６３３の下方に、「キャンセル」ボタン６３４を表示する。ＣＰＵ１０３は、ステップＳ１１５４で更新した次撮影回数に対応する選択済背景画像表示部６３１に、選択枠６３２を表示する。
【００８７】
図１２は、利用者が１回目に撮影される写真画像について個別背景画像６４１Ａを選択した後の背景選択画面６０の例である。この場合、選択済背景画像６３３は、撮影回数「１」に対応する左端の選択済背景画像表示部６３１に表示される。選択済背景画像６３３の下方には、「キャンセル」ボタン６３４が表示される。また、ステップＳ１１５４で次撮影回数が「２」に更新されるため、これに対応する左から２番目の選択済背景画像表示部６３１に選択枠６３２が表示されている。
【００８８】
図１３は、利用者が１〜２及び４〜５回目に撮影される画像について個別背景画像６４１Ａを選択した場合の背景選択画面６０の例である。この場合、撮影回数「１」，「２」，「４」，「５」に対応する４つの選択済背景画像表示部６３１各々に選択済背景画像６３３が表示される。各選択済画像６３３の下方には、「キャンセル」ボタン６３４が表示される。また、ステップＳ１１５４で次撮影回数が「３」に更新されるため、これに対応する左から３番目の選択済背景画像表示部６３１に選択枠６３２が表示されている。
【００８９】
図１２及び図１３に示すように、ＣＰＵ１０３は、個別背景画像領域６１１において、利用者が選択した個別背景画像６４１Ａの周りに選択枠６１３を表示させてもよい。選択枠６１３は、直前に選択された個別背景画像６４１Ａのみに表示されてもよいし、選択済みの全ての個別背景画像６４１Ａに表示されてもよい。なお、写真撮影遊戯機１は、選択枠６１３が表示された個別背景画像６４１Ａを利用者が再度選択できるように構成されていてもよいし、選択枠６１３が表示された個別背景画像６４１Ａを利用者に再度選択させないように構成されていてもよい。
【００９０】
「キャンセル」ボタン６３４は、利用者が選択した個別背景画像を取り消すためのボタンである。利用者が「キャンセル」ボタン６３４をタッチすると、ＣＰＵ１０３は、ステップＳ１１５２で受け付けた個別背景画像６４１Ａの選択を取り消し、タッチされた「キャンセル」ボタン６３４の真上の選択済背景画像６３３を非表示にする。また、ＣＰＵ１０３は、ステップＳ１１５４と同様の方法で次撮影回数を更新し、選択枚数を１デクリメントする。ＣＰＵ１０３は、さらに、更新した次撮影回数に対応する選択済背景画像表示部６３１に選択枠６３２を移動させる。
【００９１】
｛シール自動販売機用利用者操作機｝
ここで、背景選択のための画像が表示されるシール自動販売機用利用者操作機（受付装置３０）について説明する。図２２から図２７は、シール自動販売機用利用者操作機の６面図である。図２８は、シール自動販売機用利用者操作機のタッチパネル操作部の拡大図である。図２９は、タッチパネル操作部の表示状態における各部名称を示す参考図である。
【００９２】
シール自動販売機用利用者操作機は、写真撮影ブースにおいて、利用者が自らを含む被写体を撮影し、撮影された画像に好みのフレーム、落書きと称する文字図柄の描画、背景等を画像合成し、合成画像を写真シールとして印刷出力するシール自動販売機に用いられる。シール自動販売機用利用者操作機は、写真シール作成のための各種設定を利用者が入力するためのものであり、写真撮影ブースで撮影される画像と合成する背景を選択する等の操作を行うことができるものである。シール自動販売機用利用者操作機は、例えば、シール自動販売機用撮影機（撮影ユニット２０）の側面に取り付けられる。正面図上部中央のタッチパネル操作部に表された画像は、入力機能を発揮できる状態にする操作を行うためのものであり、個別背景、又は複数の背景を含む背景セットを選択する操作を行うものである。
【００９３】
図８に戻って背景画像選択処理の説明を続ける。ステップＳ１１５６の後、ＣＰＵ１０３は、ステップＳ１１５５で更新した選択枚数が所定枚数（本実施形態では６枚）に達したか否かを判断する（ステップＳ１１５７）。
【００９４】
選択枚数が「６」でない場合（ステップＳ１１５７でＮｏの場合）、ＣＰＵ１０３は、背景選択の残り時間が０でないか否かを判断する（ステップＳ１１５８）。
【００９５】
背景選択の残り時間が０の場合（ステップＳ１１５８でＹｅｓの場合）、ＣＰＵ１０３は、予め定められた６枚の背景画像を選択された個別背景画像として設定した後、背景選択画面６０を閉じ、背景画像処理を終了する。
【００９６】
背景選択の残り時間が０でない場合（ステップＳ１１５８でＮｏの場合）、ＣＰＵ１０３は、ステップＳ１１５４で更新された次撮影回数に応じて、個別背景画像領域６１１に表示される個別背景画像６４１Ａの形状を変更する（ステップＳ１１６０）。
【００９７】
例えば、次撮影回数が「１」〜「４」のいずれかの場合であって、現在表示されている個別背景画像６４１Ａの形状が全身画像に応じた形状であるとき、ＣＰＵ１０３は、図１３に示すように、個別背景画像６４１Ａの形状をアップ画像に応じた形状に変更する。次撮影回数が「５」又は「６」の場合であって、現在表示されている個別背景画像６４１Ａの形状がアップ画像に応じた形状であるとき、ＣＰＵ１０３は、図１４に示すように、個別背景画像６４１Ａの形状を全身画像に応じた形状に変更する。次撮影回数に対応する画像の形状と現在表示されている個別背景画像６４１Ａの形状とが一致している場合は、ＣＰＵ１０３は、個別背景画像６４１Ａの形状の変更を行わない。
【００９８】
選択枚数が「６」の場合（ステップＳ１１５７でＹｅｓの場合）、ＣＰＵ１０３は、図１５に示すように、背景選択画面６０に「ＯＫ」ボタン６６を表示し（ステップＳ１１６１）、選択済背景画像領域６３の選択枠６３２を非表示にする。
【００９９】
利用者が「ＯＫ」ボタン６６をタッチペン又は指で押すと（ステップＳ１１６２でＹｅｓの場合）、ＣＰＵ１０３は、背景選択画面６０を閉じ、背景画像選択処理を終了する。利用者が「ＯＫ」ボタン６６を押さない場合（ステップＳ１１６２でＮｏの場合）、利用者は、背景選択の残り時間が０になるまで、個別背景画像を選択し直したり、背景画像セットを選択したりすることができる（ステップＳ１１５２）。
【０１００】
利用者は、１つのテーマに分類される個別背景画像群から６枚の個別背景画像全てを選択する必要はなく、テーマが異なる個別背景画像を６枚選択することができる。例えば、利用者は、「ノーマル」に分類される個別背景画像６４１Ａから１〜５枚を選択した後、「グラデ」タブ６２Ｂ又は「デザイン」タブ６２Ｃを選択して選択用背景画像領域６１の表示を切り替え、「グラデ」に分類される個別背景画像６４１Ｂ又は「デザイン」に分類される個別背景画像６４１Ｃから残りの枚数を選択してもよい。
【０１０１】
（背景画像セットの場合）
次に、利用者が背景画像セットを選択する場合について説明する。ここでは、利用者が「ノーマル」に分類された背景画像セット６４２Ａを選択する場合について説明するが、「グラデ」又は「デザイン」に分類された背景画像セット６４２Ｂ，６４２Ｃを選択する場合であっても、利用者の操作及びＣＰＵ１０３による処理は同様である。
【０１０２】
図９に示すように、利用者は、「ノーマル」タブ６２Ａを選択し、背景選択画面６０の個別背景画像領域６１１及び背景画像セット領域６１２に、それぞれ、「ノーマル」に分類された複数の個別背景画像６４１Ａ及び複数の背景画像セット６４２Ａを表示させる。
【０１０３】
利用者は、タッチペン又は指でタッチすることにより、１つの背景画像セット６４２Ａを選択する。ＣＰＵ１０３は、利用者による背景画像セット６４２Ａの選択操作を受け付ける（ステップＳ１１５２）。
【０１０４】
ＣＰＵ１０３は、利用者が選択した背景画像の種別を判断する（ステップＳ１１５３）。ここでは、背景選択画面６０上で利用者が背景画像セット６４２Ａを選択したため、背景画像の種別は「背景画像セット」である。
【０１０５】
続いて、ＣＰＵ１０３は、図１６に示すように、選択された背景画像セット６４２Ａを利用者に確認させるための確認画像６７を背景選択画面６０に表示する（ステップＳ１１６３）。確認画像６７は、選択済背景画像領域６３を隠すことなく、選択用背景画像領域６１上に配置される。このため、選択済背景画像表示部６３１に選択済背景画像６３３が既に表示されている場合、確認画像６７とともに選択済背景画像６３３が背景選択画面６０に表示されることとなる。
【０１０６】
確認画像６７は、「ＯＫ」ボタン６７１と、「やめる」ボタン６７２と、選択背景画像セット６７３と、を有する。選択背景画像セット６７３は、利用者によって選択された背景画像セット６４２Ａを拡大した画像である。
【０１０７】
確認画像６７において、利用者が「ＯＫ」ボタン６７１をタッチペン又は指で押すと（ステップＳ１１６４でＹｅｓの場合）、ＣＰＵ１０３は、背景選択画面６０を閉じ、背景画像選択処理を終了する。
【０１０８】
確認画像６７において、利用者が「やめる」ボタン６７２を押すと（ステップＳ１１６４でＮｏの場合）、ＣＰＵ１０３は、確認画像６７を非表示にする。この場合、利用者は、背景選択画面６０において、背景画像セット６４２Ａを再度選択したり、個別背景画像６４１Ａを選択したりことができる（ステップＳ１１５２）。
【０１０９】
図７に戻って事前接客処理の説明を続ける。背景画像選択処理（ステップＳ１１５）が終了すると、ＣＰＵ１０３は、撮影ブース２が空いているか否かを判断する（ステップＳ１１６）。撮影ブース２が空いていない場合（ステップＳ１１６でＮｏの場合）、ＣＰＵ１０３は、利用者に対して待機を促す待機画面（図示略）を受付用ディスプレイ３１に表示させる（ステップＳ１１７）。撮影ブース２が空いている場合（ステップＳ１１６でＹｅｓの場合）、ＣＰＵ１０３は、撮影ブース２への移動を誘導する誘導画面（図示略）を受付用ディスプレイ３１に表示させる（ステップＳ１１８）。このとき、ＣＰＵ１０３は、誘導画面の表示とともに、利用者を撮影ブース２へ誘導する音声をスピーカ３３から出力させてもよい。
【０１１０】
ＣＰＵ１０３は、利用者によって入力された名前を示す名前データ、撮影コース、及び、個別背景画像データ又は背景画像セットデータをメモリ１０５に記憶する（ステップＳ１１９）。利用者が最終的に個別背景画像データを選択した場合（ステップＳ１１６２でＹｅｓの場合）、あるいは、背景選択の残り時間が０になったため、予め定められた６枚の背景画像が個別背景画像として設定された場合（ステップＳ１１５９）、ＣＰＵ１０３は、各個別背景画像データを撮影回数と対応付けてメモリ１０５に記憶する。利用者が最終的に背景画像セットデータを選択した場合（ステップＳ１１６４でＹｅｓの場合）、ＣＰＵ１０３は、背景画像セットデータをメモリ１０５に記憶する。上述の通り、背景画像セットデータに含まれる複数の背景画像データは、それぞれ、撮影回数に対応付けられている。
【０１１１】
＜２．２．写真画像生成処理＞
次に、写真画像生成処理（ステップＳ２０）について説明する。図１７は、写真画像生成処理のフロー図である。
【０１１２】
ＣＰＵ１０３は、撮影ブース２内の正面ディスプレイ２２に、撮影開始を案内する撮影開始画面（図示略）を表示する（ステップＳ２１１）。撮影開始画面には、撮影開始ボタンが表示されており、利用者がこの撮影開始ボタンにタッチすることにより以降の処理が開始される。
【０１１３】
利用者が撮影開始ボタンにタッチすると、ＣＰＵ１０３は、ステップＳ１１４で選択した撮影コースに応じた画角となるようにカメラ２１のズーム設定を行い、撮影を開始する（ステップＳ２１２）。本実施形態では、アップ全身撮影コースを利用者が選択したものとし、まず、アップ画像に対応した画角となるように、カメラ２１のズーム設定が行われる。
【０１１４】
撮影に際し、ＣＰＵ１０３は、カメラ２１で撮影された映像のうち被写体の背後に写る背面パネル２４の部分を透明にするクロマキー処理をクロマキーキャプチャボード１７に行わせる。ＣＰＵ１０３は、写真シールの仕上がりを利用者にイメージさせるため、クロマキー処理された映像と、ステップＳ１１５で選択された背景画像とを重ね合わせて正面ディスプレイ２２にライブ表示する。上記したように、個別背景画像データ及び背景画像セット中の各背景画像データは、撮影回数ごとにメモリ１０５に記憶されている。ＣＰＵ１０３は、撮影ごとに、その撮影回数に応じた背景画像データをメモリ１０５から読み出し、正面ディスプレイ２２に背景画像を表示する。
【０１１５】
ＣＰＵ１０３は、カメラ２１を制御して撮影を行わせる。ＣＰＵ１０３は、利用者を撮影して４枚のアップ画像を生成した後、全身画像に対応した画角となるようにカメラ２１のズーム設定を変更し、利用者を撮影して２枚の全身画像を生成する。
【０１１６】
６回の撮影が終了した後、ＣＰＵ１０３は、仕上がり時の目の大きさ及び画像の明るさを選択するための画面(図示略)を正面ディスプレイ２２に表示し、利用者による選択を受け付ける（ステップＳ２１３）。
【０１１７】
ＣＰＵ１０３は、ステップＳ２１２で生成された各アップ画像及び各全身画像に対し、ステップＳ２１３で選択された目の大きさ及び明るさに応じた画像処理を施すとともに、所定の画像サイズとなるようにトリミング処理を施す（ステップＳ２１４）。アップ画像は、例えば、画像の縦横比が１．２：１となる所定の画像サイズにトリミングされ、全身画像は、アップ画像よりも縦に長い、例えば、縦横比が１６：９となる所定の画像サイズにトリミングされる。
【０１１８】
これにより、アップ画像を基とする４枚の写真画像（以下、アップ写真画像と称する）と、全身画像を基とする２枚の写真画像（以下、全身写真画像と称する）とが生成される（ステップＳ２１５）。
【０１１９】
その後、ＣＰＵ１０３は、編集ブース４が空いているか否かを判断する（ステップＳ２１６）。編集ブース４が空いていない場合（ステップＳ２１６でＮｏの場合）、ＣＰＵ１０３は、利用者に対して待機を促す待機画面（図示略）を正面ディスプレイ２２に表示させる（ステップＳ２１７）。編集ブース４が空いている場合（ステップＳ２１６でＹｅｓの場合）、ＣＰＵ１０３は、編集ブース４への移動を誘導する誘導画面（図示略）を正面ディスプレイ２２に表示させる（ステップＳ２１８）。なお、ＣＰＵ１０３は、誘導画面の表示とともに、利用者を編集ブース４へ誘導する音声をスピーカ４５０から出力させてもよい。
【０１２０】
＜２．３．画像編集処理＞
次に、画像編集処理（ステップＳ３０）について説明する。図１８は、画像編集処理のフロー図である。
【０１２１】
ＣＰＵ１０３は、撮影ブース２から編集ブース４への利用者の移動を待つ待機画面（図示略）を編集用ディスプレイ４１１（図４参照）に表示させる（ステップＳ３１１）。
【０１２２】
撮影ブース２から編集ブース４へ移動した利用者が待機画面にタッチペン４１２（図４参照）でタッチすると、ＣＰＵ１０３は、残り編集時間のカウントダウンを開始する（ステップＳ３１２）。
【０１２３】
ステップＳ３１２の後、ＣＰＵ１０３は、編集画面（図示略）を編集用ディスプレイ４１１に表示させ、落書き処理（編集処理）を開始する（ステップＳ３１３）。
【０１２４】
落書き処理において、利用者は、ステップＳ２１５で生成された各写真画像に対して落書きをすることができる。ＣＰＵ１０３は、利用者が落書きした内容に基づき、写真画像ごとに編集画像を生成する。
【０１２５】
落書き処理が終了した後、ＣＰＵ１０３は、各写真画像（アップ写真画像，全身写真画像）に対し、背景画像選択処理（ステップＳ１１５）で選択された各個別背景画像、又は選択された背景画像セットに含まれる各背景画像と、落書き処理（ステップＳ３１３）で生成された合成用編集画像とを合成した合成画像（アップ合成画像，全身合成画像）を生成する（ステップＳ３１４）。
【０１２６】
次に、ＣＰＵ１０３は、シートレイアウト選択画面（図示略）を編集用ディスプレイ４１１に表示させ、利用者によるシートレイアウトの選択を受け付ける（ステップＳ３１５）。
【０１２７】
続いて、ＣＰＵ１０３は、利用者が選択したシートレイアウトに基づき、シール紙に印刷するためのシート画像を生成する（ステップＳ３１６）。具体的には、ＣＰＵ１０３は、選択されたシートレイアウトにおいて、アップ合成画像用の領域にステップＳ３１４で生成したアップ合成画像を配置するとともに、全身合成画像用の領域にステップＳ３１４で生成した全身合成画像を配置して合成し、シート画像を生成する。
【０１２８】
図１９は、ステップＳ１１４の撮影コース選択処理において、撮影コースとしてアップ全身撮影コースが選択された場合のシート画像の一例を示す模式図である。図１９に例示するように、シート画像５１０には、４枚のアップ合成画像５１０１と、２枚の全身合成画像５１０２が配置される。なお、撮影コースとしてアップ撮影コースが選択された場合には、図２０に例示するように、６枚のアップ合成画像５１０１が配置されたシート画像５１１が生成される。
【０１２９】
その後、ＣＰＵ１０３は、事後接客部５が空いているか否かを判断する（ステップＳ３１７）。事後接客部５が空いていない場合（ステップＳ３１７でＮｏの場合）、ＣＰＵ１０３は、利用者に対して待機を促す待機画面（図示略）を編集用ディスプレイ４１１に表示させる（ステップＳ３１８）。事後接客部５が空いている場合（ステップＳ３１７でＹｅｓの場合）、ＣＰＵ１０３は、ステップＳ３１６で生成したシート画像をプリンタ６５０に送信し、印刷を開始する（ステップＳ３１９）。また、ＣＰＵ１０３は、利用者を事後接客部５へ誘導する誘導画面（図示略）を編集用ディスプレイ４１１に表示させる（ステップＳ３２０）。ＣＰＵ１０３は、誘導画面の表示とともに、利用者を事後接客部５へ誘導する音声をスピーカ４１３から出力させてもよい。
【０１３０】
＜２．４．事後接客処理＞
次に、事後接客処理（ステップＳ４０）について説明する。図２１は、事後接客処理のフロー図である。
【０１３１】
ＣＰＵ１０３は、開始画面を受付用ディスプレイ５１に表示させる。編集ブース４から移動してきた利用者が開始画面を指でタッチすると、画像送信処理が開始される（ステップＳ４１１）。また、ＣＰＵ１０３は、操作に必要な音声をスピーカ５３に出力する。
【０１３２】
画像送信処理が開始されると、ＣＰＵ１０３は、利用者の端末装置に送信するための画像を選択する画像選択画面（図示略）を受付用ディスプレイ５１に表示させる。画像選択画面には、ステップＳ３１４で生成された４枚のアップ合成画像及び２枚の全身合成画像が表示される。なお、ステップＳ３１４で６枚のアップ合成画像が生成されている場合には、画像選択画面に、６枚のアップ合成画像が表示される。画像選択画面に表示される画像のうち、利用者が所望の画像をタッチすることにより画像選択が受け付けられる。
【０１３３】
次に、ＣＰＵ１０３は、利用者が選択した画像を取得するためのＵＲＬを記載した通知メールを利用者に送信するため、利用者にメールアドレスの入力を促す入力画面を受付用ディスプレイ５１（図４参照）に表示する。利用者は、入力画面の案内に従い、メールアドレスを入力し決定する。
【０１３４】
続いて、ＣＰＵ１０３は、利用者が入力したメールアドレス及び選択した画像の情報をサーバ（図示略）に送信する。これを受けて、サーバは、入力されたメールアドレス宛てに、画像を取得するためのＵＲＬが記載された通知メールを送信する。
【０１３５】
利用者は受信した通知メールに記載されたＵＲＬにアクセスすることにより、選択した１枚の合成画像を取得することができる。また、利用者は、所定の会員登録をすることにより、選択しなかった画像すべてを取得することができる。
【０１３６】
図１８のステップＳ３１９における印刷処理が終了するまでの待ち時間に、上記ステップＳ４１１の処理が実行される。ステップＳ３１９においてシート画像の印刷が終了すると、ＣＰＵ１０３は、シート画像が印刷されたシール紙（写真シール）を写真シール排出口５２から排出する（ステップＳ４１２）。ここまでが、一組の利用者に対する一連のプレイである。
【０１３７】
以上のように、本実施形態に係る写真撮影遊戯機１は、個別背景画像６４１とともに背景画像セット６４２を背景選択画面６０に表示するため、背景画像セット６１１の存在を利用者に容易に認識させることができる。その結果、利用者は、個別背景画像６４１だけでなく、背景画像セット６４２の選択の可能性を考慮するようになるため、利用者に対し、背景画像セット６４２と個別背景画像６４１との平等な選択を促すことができる。
【０１３８】
本実施形態では、背景選択画面６０において、背景画像セット領域６１２は、個別背景画像領域６１１の下方に配置されている。これにより、背景選択画面６０に向かって右側の利用者と左側の利用者とで、背景選択画面６０に表示される個別背景画像６４１及び背景画像セット６４２の見え方に差が生じるのを防止することができる。
【０１３９】
本実施形態では、背景選択画面６０において、利用者が個別背景画像領域６１１の個別背景画像６４１を選択した場合、選択された個別背景画像６４１は、選択済背景画像６３３として選択済背景画像領域６３に表示される。このため、利用者は、既に選択した個別背景画像６４１とこれから選択する個別背景画像６４１とのバランスを考慮しながら、個別背景画像６４１の選択を行うことができる。
【０１４０】
本実施形態では、背景画像セット領域６１２は、個別背景画像領域６１１と選択済背景画像領域６３との間に配置されている。このため、利用者が個別背景画像領域６１１の個別背景画像６４１を選択し、選択済背景画像領域６３に表示された選択済背景画像６３３を確認する際に、背景画像セット領域６１２に表示された背景画像セット６４２が利用者の視界に入ることとなる。このため、背景画像セット６４２の存在をより確実に利用者に認識させることができ、利用者に対し、背景画像セット６４２と個別背景画像６４１との平等な選択をさらに促すことができる。
【０１４１】
本実施形態では、背景選択画面６０において、利用者が背景画像セット６４２を選択した場合、確認画像６７が表示される。確認画像６７は、選択済背景画像領域６３を隠さないよう、選択用背景画像領域６１上に表示される。このため、利用者は、個別背景画像６４１を既に選択している場合、選択済背景画像領域６３の選択済背景画像６３３と確認画像６７の選択背景画像セット６７３とを比較し、個別背景画像６４１又は背景画像セット６４２のどちらを選択すべきか再考することができる。結果として、利用者が十分に考えた上で、個別背景画像又は背景画像セットが最終的に決定されることになるため、最終的に決定された個別背景画像又は背景画像セットに対する利用者の満足度を向上させることができる。
【０１４２】
本実施形態では、各個別背景画像６４１及び各背景画像セット６４２は、予め定められた複数のテーマに従って分類されており、共通のテーマに対応する個別背景画像６４１及び背景画像セット６４２が背景選択画面６０の選択用背景画像領域６１に表示される。選択用背景画像領域６１の表示は、利用者がテーマ選択タブ６２を選択することにより、テーマごとに切り替えられる。よって、利用者は、好みのデザインの個別背景画像６４１又は背景画像セット６４２を容易に見つけることができる。
【０１４３】
以上、本発明の実施形態について説明したが、本発明は上記実施形態に限定されるものではなく、その趣旨を逸脱しない限りにおいて、種々の変更が可能である。以下、上記実施形態の変形例について説明する。
【０１４４】
（１）上述した実施形態では、背景選択画面６０において、背景画像セット領域６１２が個別背景画像領域６１１の下方に配置されていたが、個別背景画像領域６１１及び背景画像セット領域６１２の画面上の配置は特に限定されるものではない。例えば、背景選択画面６０において、背景画像セット領域６１２を個別背景画像領域６１１の上方に配置することもできるし、背景画像セット領域６１２を個別背景画像領域６１１の左又は右に配置することもできる。
【０１４５】
（２）上述した実施形態では、背景選択画面６０において、背景画像セット領域６１２が個別背景画像領域６１１と選択済背景画像領域６３との間に配置されていたが、背景画像セット領域６１２、個別背景画像領域６１１、及び選択済背景画像領域６３の位置関係は特に限定されるものではない。例えば、背景選択画面６０において、個別背景画像領域６１１の上方や、個別背景画像領域６１１及び背景画像セット領域６１２の右又は左に選択済背景画像領域６３を配置していてもよい。なお、背景選択画面６０に選択済背景画像領域６３を設けなくてもよい。
【０１４６】
（３）上述した実施形態では、背景選択画面６０において、利用者が背景画像セット６４２を選択したときに既に選択済背景画像６３３が表示されている場合、確認画像６７を選択用背景画像領域６１に表示し、確認画像６７及び選択済背景画像６３３をともに表示していたが、確認画像６７を選択済背景画像６３３の上に表示させてもよい。また、利用者が背景画像セット６４２を選択した場合であっても、確認画像６７を表示させずに背景画像選択処理（ステップＳ１１５）を終了させることもできる。
【０１４７】
（４）上述した実施形態では、背景選択画面６０において、テーマ選択タブ６２が選択用背景画像領域６１の左右に設けられていたが、テーマ選択タブ６２は、選択用背景画像領域６１の左又は右に設けてもよいし、選択用背景画像領域６１の上下の少なくとも一方に設けてもよい。
【０１４８】
（５）上述した実施形態では、個別背景画像６４１及び背景画像セット６４２をテーマごとに分類し、背景選択画面６０において、テーマ選択タブ６２の選択により、テーマごとに個別背景画像６４１及び背景画像セット６４２の表示の切り替えを行っていたが、個別背景画像６４１及び背景画像セット６４２をテーマごとに分類せず、個別背景画像６４１及び背景画像セット６４２の表示の切り替えを行わなくてもよい。この場合、背景選択画面６０にテーマ選択タブ６２を設ける必要はない。
【符号の説明】
【０１４９】
１      写真撮影遊戯機
２１    カメラ
１０３  ＣＰＵ
１０４  ＨＤＤ
１０５  メモリ
【図１】
0005884223.tif 000002
【図２】
0005884223.tif 000003
【図３】
0005884223.tif 000004
【図４】
0005884223.tif 000005
【図５】
0005884223.tif 000006
【図６】
0005884223.tif 000007
【図７】
0005884223.tif 000008
【図８】
0005884223.tif 000009
【図９】
0005884223.tif 000010
【図１０】
0005884223.tif 000011
【図１１】
0005884223.tif 000012
【図１２】
0005884223.tif 000013
【図１３】
0005884223.tif 000014
【図１４】
0005884223.tif 000015
【図１５】
0005884223.tif 000016
【図１６】
0005884223.tif 000017
【図１７】
0005884223.tif 000018
【図１８】
0005884223.tif 000019
【図１９】
0005884223.tif 000020
【図２０】
0005884223.tif 000021
【図２１】
0005884223.tif 000022
【図２２】
0005884223.tif 000023
【図２３】
0005884223.tif 000024
【図２４】
0005884223.tif 000025
【図２５】
0005884223.tif 000026
【図２６】
0005884223.tif 000027
【図２７】
0005884223.tif 000028
【図２８】
0005884223.tif 000029
【図２９】
0005884223.tif 000030